(57)【要約】【課題】索受け装置上における脱索を効果的に防止するとともに、索受け装置上の索条の位置を正規の位置に保持することができる索道の脱索防止装置を提供すること、及び、この脱索防止装置を円滑に通過することができる握索装置を提供することにある。【解決手段】索条を挟んで受索輪に対向する位置に脱索防止輪を設け、この脱索防止輪で索条を押圧して脱索を防止する脱索防止装置において、索条の上方から当接する脱索防止輪又は受索輪の外周面には、索条の半径以上の深さの溝を有するとともに、この溝の底面を索条とほぼ同一径の円弧で形成し、脱索防止輪及び受索輪が索条に当接したときには、脱索防止輪及び受索輪が索条の側面を完全に遮蔽するようにした。そして、これを通過する握索機の握子部上部には、索条の移動方向前後に延出してタング部材を備え、タング部材の上面の進行方向と直交する断面が前記索条とほぼ同一径の円弧形状をなすようにした。【選択図】図１
2008049928.tif 000002
【特許請求の範囲】
【請求項１】
複数の受索輪で索条を支承する索受け装置又は圧索受け装置に備え、索条を挟んで受索輪に対向する位置に脱索防止輪を設け、該脱索防止輪で索条を押圧して脱索を防止する脱索防止装置であって、前記索条の上方から当接する脱索防止輪又は受索輪の外周面には、前記索条の半径以上の深さの溝を有するとともに、該溝の底面を前記索条とほぼ同一径の円弧で形成し、前記脱索防止輪及び前記受索輪が前記索条に当接したときに、前記脱索防止輪及び前記受索輪が前記索条の側面を完全に遮蔽することを特徴とする索道の脱索防止装置。
【請求項２】
前記索条を握索して移動する握索機であって、該握索機の握子部上部には前記索条の移動方向前後に延出してタング部材を備え、該タング部材の上面は進行方向と直交する断面において前記索条とほぼ同一径の円弧形状をなすことを特徴とする握索機。
【発明の詳細な説明】
【技術分野】
【０００１】
本発明は、高架した索条に握索機を用いて搬器を懸垂して運行を行う固定循環式索道や自動循環式索道において、線路中の支柱等で索条を支承する受索輪から索条が脱索するのを防止するための脱索防止装置に関するものである。
【背景技術】
【０００２】
一条の索条を二箇所の停留場間に無端状に高架し、この索条に搬器を懸垂して運行を行う単線式の索道は、スキーリフトやゴンドラリフトとして主に傾斜地の輸送設備として広く用いられている。このような索道においては、停留場間の線路中に支柱を立設し、この支柱に複数の受索輪で構成された索受け装置を備え索条を移動可能に支承する。また、搬器には握索機を備え、この握索機が索条を強固に掴むことにより、索条の移動とともに搬器が牽引されて移動する。
【０００３】
上記したように、索道において索条は線路中で受索輪に支承されているが、索条に風圧や搬器の揺動などによって外力が作用した場合に、受索輪から索条から外れる現象が引き起こされることがあり、この現象を脱索と称している。脱索を生じた場合に索道の運行を続行するのは危険であるため、従来より脱索を検知する装置や脱索自体を防止する装置が種々提案されており、また、実用に供されているものもある。
【０００４】
脱索自体を防止する脱索防止装置としては、複数の受索輪からなる索受け装置の端部に受索輪と対向するように脱索防止輪を設け、この脱索防止輪にばね力を作用させて索条を受索輪と脱索防止輪とで挟み込むようにしたものが多く用いられている。特許文献１には、同様の装置において、脱索防止輪と受索輪の外周に凹設した溝どうしの底面間の距離を索条の直径と略同一として索条が通過する空間を形成し、かつ、この溝の左右に位置する外周縁どうしが互いに嵌合するようにして、握索機の通過時以外は索条が脱索しない構造が開示されている。
【０００５】
【特許文献１】特開昭６２−１５１６２号公報
【発明の開示】
【発明が解決しようとする課題】
【０００６】
しかしながら、上記特許文献１は、脱索防止輪と受索輪の外周縁で索条の左右方向の移動を規制する構造であるため、この外周縁の間で索条は移動方向に対して左右に振れる可能性があり、索条が脱索防止輪及び受索輪の中心から外れて左右どちらかに片寄っているときに搬器が通過すると、握索機が脱索防止輪及び受索輪の外周縁と干渉してしまうという問題がある。また、握索機が受索輪上を円滑に通過するためには、握索機の構造上、受索輪の溝はごく浅く形成されるのが通常であり、特許文献１に示された如く深い溝を形成された受索輪を採用することは適当ではない。
【０００７】
本発明の課題は、このような事情に鑑みてなされたものであって、索受け装置上における脱索を効果的に防止するとともに、索受け装置上の索条の位置を正規の位置に保持することができる索道の脱索防止装置を提供すること、及び、この脱索防止装置を円滑に通過することができる握索装置を提供することにある。
【課題を解決するための手段】
【０００８】
本発明の索道の脱索防止装置は、複数の受索輪で索条を支承する索受け装置又は圧索受け装置に備え、索条を挟んで受索輪に対向する位置に脱索防止輪を設け、該脱索防止輪で索条を押圧して脱索を防止する脱索防止装置であって、前記索条の上方から当接する脱索防止輪又は受索輪の外周面には、前記索条の半径以上の深さの溝を有するとともに、該溝の底面を前記索条とほぼ同一径の円弧で形成し、前記脱索防止輪及び前記受索輪が前記索条に当接したときに、前記脱索防止輪及び前記受索輪が前記索条の側面を完全に遮蔽することを特徴としている。
【０００９】
そして、この脱索防止装置に用いられる握索機は、握索機の握子部上部には前記索条の移動方向前後に延出してタング部材を備え、該タング部材の上面は進行方向と直交する断面において前記索条とほぼ同一径の円弧形状をなすことを特徴としている。
【発明の効果】
【００１０】
本発明では、索条の上方から当接する脱索防止輪又は受索輪の外周面には前記索条の半径以上の深さの溝を有するとともに、溝の底面を前記索条とほぼ同一径の円弧で形成している。このように構成することで索条の側面は、脱索防止輪と受索輪で完全に遮蔽されるので索条の脱索を防止することができるとともに、索条が溝の底面と係合することにより索条を正規の位置に保持することができる。
【００１１】
また、この脱索防止装置を握索機が通過する際は、索条の下方から当接する脱索防止輪又は受索輪の外周面に形成した溝は、通常一般的に採用されている浅い溝であるか、あるいは溝を設けていないので、握索機の握子部の下部が円滑に通過でき、また、握子部の頭部には、上面の形状が索条と同一径の円弧形状に形成されたタング部材を備えているので、このタング部材が脱索防止輪又は受索輪の深溝に係合することにより握索機は正規の位置を正確に通過することができる。
【発明を実施するための最良の形態】
【００１２】
以下、本発明の実施の形態を図面を参照して説明する。図１及び図２において、索道線路中の支柱等に備えた索受け装置１０は、複数の受索輪１１とビーム１２，１３等からなっており、ビーム１２，１３等を順次組み合ることにより各受索輪１１に作用する荷重が均等になるようバランスさせた従来公知のものである。この索受け装置１０においては、索条１４の下部に受索輪１１が当接して回動し、索条１４を長手方向に移動可能に誘導及び支承している。この索受け装置１０の端部には、脱索防止装置２０を備えている。
【００１３】
脱索防止装置２０は、索条１４を挟んで受索輪１１と対向する位置に脱索防止輪２１を備え、この脱索防止輪２１が索条１４の上方から圧接するようにしたものであり、以下のように構成される。まず、Ｌ字状のフレーム２２は、端部の受索輪１１，１１の中間の位置で索受け装置１０のビーム１３の下部に固定されており、固定位置から索道線路の内側方向に延出した後上方に突出した形状をしている。このフレーム２２の上部には、筒状の中空部材２６、２６を連結部材２５で連結して一体としたした摺動ケース２３が固着されている。この摺動ケース２３の中空部材２６には摺動ロッド２４が摺動可能に挿通され、各摺動ロッド２４の下端部は連結プレート２７が固着されて連結されるとともに、各上端部には摺動ビーム２８が固着されて連結されている。そして、前記連結部材２５と連結プレート２７の間にはバネ３０が装着されており、手動ロッド２４ないし摺動ビーム２８は上下方向に摺動可能に支持されるとともに、摺動方向にバネ３０のバネ力が作用するようになされている。
【００１４】
つぎに、前記摺動ビーム２８の中央部には、受索輪１１の側に延出してビームピン２９が固着され、このビームピン２９の先端部には２輪ビーム３１が揺動可能に軸支されている。２輪ビーム３１は、一対の板状の部材を一定間隔で平行に配置し、この板状部材を中央部で連結した構造であり、中央部においては前記したようにビームピン２９に軸支されるとともに、両端部では板状部材の間で脱索防止輪２１、２１を回転可能に軸支している。そして、この脱索防止輪２１は、受索輪１１上の索条１４に上方から当接し、前記バネ３０のバネ力の作用により索条１４を下方に押圧している。
【００１５】
図３は、受索輪１１と脱索防止輪２１が索条１４に上下から当接した状態を示す拡大正面図である。受索輪１１の中央部、即ち索条１４を支承する部分には、合成ゴム等で成形されたライナー４０を備え、このライナー４０の左右両側面には、ライナー４０の外径よりも若干大きな外径の金属製フランジ４１を固定しており、ライナー４０及びフランジ４１は一体に回転する。ライナー４０の外周面中央部には、索条１４と係合するように索条１４の直径とほぼ同一径の円弧で溝４２が形成されている。この溝４２は、後記する握索機が通過するのに際して、握索機の握子部との接触を最小限とするために浅く形成されてている。
【００１６】
一方、索条１４の上方から当接する脱索防止輪２１は、前記受索輪１１と同様の構造であるが、受索輪１１に比して外径及び幅方向を小さく構成したものであって、ライナー４３の外周面中央部に形成された溝４５が索条１４の上面に係合する。この溝４５は、索条１４の半径以上の深さを有する深溝であって、索条１４と接する底面部は索条１４の直径とほぼ同一径の円弧で形成され、外周に向けては溝幅が徐々に広がるテーパ状となっている。そして、このライナー４３の両側面には、受索輪１１と同様にライナー４３の外径よりも大きな外径の金属製フランジ４４が固定されており、このフランジ４４の外周部は、受索輪１１のライナー４０の外周に近接する位置にある。さらに、脱索防止輪２１のフランジ４４の外側方向には受索輪１１のフランジ４１が位置しており、側面視ではフランジ４４とフランジ４１は重なり合う状態となっている。このように、脱索防止輪２１が索条１４に圧接する位置において索条１４の側面が、受索輪１１と脱索防止輪２１で完全に遮蔽される位置関係となるように、脱索防止輪２１の溝４５の深さは定められている。
【００１７】
以上のように構成したことにより、搬器が通過していない状態においては、上記したように索条１４の側面が受索輪１１と脱索防止輪２１で完全に覆われているので、索条１４に横方向の外力が作用しても左右方向の動きが抑止され、索条１４の脱索が防止される。また、索条１４は、脱索防止輪２１に作用するバネ力により上下の脱索防止輪２１及び受索輪１１間で相互に挟まれており、上下の溝４２、４５に索条１４が押圧されて係合することにより、索条１４は正規の位置に良好に保持される。
【００１８】
つぎに、上記の如く構成された索受け装置１０及び脱索防止装置２０と、搬器に備えた握索機の関係を説明する。図４において、搬器の上部に備えた握索機５０は、握子部５１により索条１４を強固に握索し、索条１４と共に移動する。この握子部５１には、握子部５１の上部を覆い、且つ、進行方向前後に延出してタング部材５２を備えている。タング部材５２の上面は、側面視においては図４に示すように、中央部分が握子部５１の上部と平行して握子部５１の幅よりやや広い位置まで延び、この終端位置から両先端部にむけては緩やかに下方へ傾斜した形状であり、正面視においては図５に示すように、索条１４の直径とほぼ同一径の半円形状に形成され、また、下面は索条１４の上面の一部を覆うように当接している。
【００１９】
このように構成した握索機５０は、以下のようにして脱索防止装置２０を通過する。握索機５０が索受け装置１０に進入すると、握索機５０に備えたタング部材５２の先端が脱索防止輪２１に当接し、タング部材５２の上面と脱索防止輪２１の溝４５の底面が係合する。この後、握索機５０の進行にともなって脱索防止輪２１はタング部材５２上面の傾斜部に沿って転動し、この傾斜により脱索防止輪２１と受索輪１１は緩やかに引き離される。このようにして握索機５０は脱索防止輪２１と受索輪１１との間に円滑に導入される。
【００２０】
次いで図５に示すように、握索機５０の握子部５１が脱索防止輪２１と受索輪１１との間を通過する位置に到達すると、脱索防止輪２１と受索輪１１が最大に離隔する状態となる。このときに脱索防止輪２１は、握子部５１との間にタング部材５２が介在することにより、握子部上部５１ａと脱索防止輪２１のフランジ４４が接触しない位置にまで押し上げられている。また、受索輪１１のライナー４０に形成された溝４２は浅く形成されているので、握子部５１とライナー４０との接触は最小限の接触に留まり、また、受索輪１１のフランジ４１と握子部下部５１ｂとが接触することもない。したがって、握子部５１が脱索防止輪２１と受索輪１１との間を通過する際しても、握索機５０は脱索防止輪２１あるいは受索輪１１と無用に干渉することなく円滑に進行することが可能である。
【００２１】
さらに握索機５０が進行して握索機５０が脱索防止輪２１から離脱するときには、上記の進入の場合とは逆の動作、即ち脱索防止輪２１は、握索機５０のタング部材５２の傾斜部に沿って緩やかに下降した後、再び索条１４に係合する。
【００２２】
このように握索機５０が脱索防止装置２０を通過するのに際しては、一連の動作が円滑に行われるものであるが、加えて、握索機５０に備えたタング部材５２は、上面を索条１４の直径とほぼ同一径の半円形状に形成しているので、脱索防止輪２１に同様の円弧で形成された溝４５の底面と的確に係合し、脱索防止装置２０のバネ３０の作用と相まって握索機５０は左右に変位することなく正規の位置を保持して通過する。
【００２３】
以上の説明では、索条１４を下方から支承する索受け装置１０に脱索防止装置２０を設けた構成の説明を行ったが、次に索条１４を上方から支承する圧索受け装置に脱索防止装置２０を設ける構成を説明する。
【００２４】
図６において、圧索受け装置６０は前記索受け装置１０と同様の構造であり、複数の受索輪１１ａが索条１４の上面に当接して支承する。この圧索受け装置６０の端部に脱索防止装置２０を備えている。脱索防止装置２０は、前記した索受け装置１０に設けられる場合との構成と同一であり、索条１４の下方から脱索防止輪２１が索条１４を押圧するようにしている。ただし、この場合には脱索防止輪２１ａのライナー４３ａには、索条１４と係合する溝は形成されておらず外周面は平坦である。いっぽう、受索輪１１ａのライナー４０ａには、前記索受け装置１０の場合に備えた脱索防止輪２１の溝４５の形状と同様の溝４２ａが形成されている。すなわち、溝４２ａは索条１４と接する底面部が索条１４の直径とほぼ同一径の円弧で形成され、外周に向けては溝幅が徐々に広がるテーパ状となっている深溝として形成されている。
【００２５】
このように、圧索受け装置６０に脱索防止装置２０を適用する場合には、全体的な構成を索受け装置１０の場合の上下を対称にして構成したものであるが、索条１４と係合する溝は、いずれも上方側が深溝で係合するようにしたものである。そして、このように構成した圧索受け装置６０の場合においても、前記索受け装置１０の場合と同様の動作ないし効果を生じるものであって、索条の脱索を良好に防止することができ、また、握索機５０の通過時においても円滑に通過することができるものである。
【図面の簡単な説明】
【００２６】
【図１】脱索防止装置の正面図
【図２】図１におけるＡ−Ａ矢視図
【図３】受索輪と脱索防止輪の拡大正面図
【図４】握索機と脱索防止装置との関係を示す正面図
【図５】握索機と脱索防止装置との関係を示す側面図
【図６】脱索防止装置を圧索受け装置に適用したときの正面図
【符号の説明】
【００２７】
１０  索受け装置
１１、１１ａ  受索輪
１２、１３  ビーム
２０  脱索防止装置
２１、２１ａ  脱索防止輪
２２  フレーム
２３  摺動ケース
２４  摺動ロッド
２５  連結部材
２６  中空部材
２７  連結プレート
２８  摺動ビーム
２９  ビームピン
３０  バネ
３１  ２輪ビーム
４０、４０ａ  ライナー
４１  フランジ
４２、４２ａ  溝
４３、４３ａ  ライナー
４４  フランジ
４５  溝
５０  握索機
５１  握子部
５１ａ  握子部上部
５１ｂ  握子部下部
５２  タング部材
６０  圧索受け装置
【図１】
2008049928.tif 000003
【図２】
2008049928.tif 000004
【図３】
2008049928.tif 000005
【図４】
2008049928.tif 000006
【図５】
2008049928.tif 000007
【図６】
2008049928.tif 000008